(57)【特許請求の範囲】
【請求項１】
患者が医療従事者を呼び出すために操作する呼出操作部と、この呼出操作部が操作された場合に呼出信号を生成する子機制御部と、この子機制御部にて生成された呼出信号を出力する子機インターフェースとを備えたナースコール子機と、
呼出信号を入力するインターフェースと、呼び出しを行っている患者を特定するための患者情報およびその他の患者情報を記憶する記憶部と、呼び出しを行った患者の患者情報を所定の数だけポップアップ表示することで報知を行うディスプレイと、前記報知に対して応答するためのハンドセットと、このハンドセットがオフフックされたことを検出するオフフック検出部と、前記インターフェースが呼出信号を入力した場合に、呼び出しを行っている患者を特定するための患者情報を前記記憶部から少なくとも取得し、取得した患者情報のうち、呼び出しを行っている患者を特定するための患者情報を示す文字を大きく表示する第一のポップアップ表示を前記ディスプレイに行わせ、前記インターフェースが呼出信号を入力し、かつ、前記オフフック検出部が前記ハンドセットのオフフックを検出した場合に、前記記憶部から呼び出しを行っている患者を特定するための患者情報およびその他の患者情報を取得し、取得した患者情報を示す文字を小さく表示する第二のポップアップ表示を前記ディスプレイに行わせる制御部とを備えたナースコール親機と、
を有するナースコールシステム。
【発明の詳細な説明】
【技術分野】
【０００１】
本発明は、患者や被介護者が看護師や介護師を呼び出すためのナースコールシステムに関し、特に患者や被介護者が呼び出しを行ったことを報知するために、ナースコール親機のディスプレイ上にポップアップ表示を行うナースコールシステムに関する。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、患者と記載する）が呼出操作部を操作することによって看護師や介護師（以下、医療従事者と記載する）を呼び出すことができるように成されたシステムである。
【０００３】
多くのナースコールシステムは、病室のベッド近傍やトイレ、浴室などに設置されるナースコール子機と、ナースステーションに設置されるナースコール親機と、病室や介護室等の各部屋の入口付近に設置される廊下灯と、通話やデータの送受信に関する制御を行う制御機とを備えて構成されている。また、上述した構成に加えて、医療従事者が携帯する携帯端末（例えば、ＰＨＳ（Personal Handy phone System）端末など）とＰＢＸ（Private Branch Exchange：電話交換機）とを備えたナースコールシステムも提供されている。ここで、ナースコール子機は呼出操作部を備えている。
【０００４】
そして、このようなナースコールシステムは、患者がナースコール子機の呼出操作部を操作した場合に、ナースコール子機からナースコール親機へ呼出信号を出力し、呼出信号を入力したナースコール親機にて呼び出しを報知するように構成されている。
【０００５】
ナースコール親機には、ＬＥＤ（light-emitting  diode）などのランプと患者の名前などを表示する表示欄とを備えた選局部を患者の数に応じて組み合わせたボード形のものが知られている。ボード形のナースコール親機は、ナースステーションの壁面などに取り付けられ、ナースステーション内の医療従事者がボード形親機に表示された情報を閲覧することが可能である。ここで、ナースコール子機から出力された呼出信号を入力したナースコール親機では、呼出信号に含まれ、ナースコール子機を識別するための子機識別情報により呼び出しを行った患者（実際にはナースコール子機）を特定する。そして、特定されたナースコール子機を使用している患者の表示欄に対応する選局部のランプを点灯または点滅させることで呼び出しの報知を行っている。また、呼び出しの報知は、選局部のランプの点灯や点滅だけではなく、スピーカーから出力される音声によっても行われる。
【０００６】
また、ナースコール親機としては、上述したボード形のものだけではなく、卓上に設置される卓上形のものや、報知や各種情報をディスプレイ上に表示するＰＣ（personal  computer）形のものも知られている。ここで、病室およびベッドの配置に合わせて患者の氏名などの患者情報をディスプレイ上に表示したり、ナースコール子機により呼び出しが行われた場合に、呼び出しを行った患者の患者情報をディスプレイ上にポップアップ表示したりするナースコールシステムが知られている（例えば、特許文献１など）。
【０００７】
また、上述したように、ナースコール親機にて呼び出しの報知が行われると、これに気付いた医療従事者が応答する必要がある。そのため、ナースコール親機には、呼び出しの報知に応答するためのハンドセットが設けられている。呼び出しの報知が行われている場合に、医療従事者がハンドセットをオフフックすると、呼び出しの報知が停止し、ナースコール親機とナースコール子機（またはナースコール子機が設置された病室）との間で通話路が形成される。ここで、ナースコール子機（または病室）には、通話用のスピーカーやマイクが設けられているため、患者と医療従事者との間で通話が可能となる。また、携帯端末が使用可能である場合には、医療従事者は、携帯端末を操作して呼び出しに応答することができる。
【０００８】
ところで、ナースコール親機には複数のナースコール子機が接続されているため、ナースコール親機にて応答が行われるまでに複数の呼び出しが重複することが考えられる。そのため、ＰＣ形のナースコール親機では、複数のポップアップ表示がディスプレイ上に表示されることになる。また、ポップアップ表示には、患者の居る病室（ベッド番号を含む）や患者の氏名などの呼び出しを行った患者を特定するための患者情報、呼び出し種別を示す情報の他に、救護区分や感染症の有無、診療科目、担当看護師などの患者情報を併せて表示することもある。そのため、ポップアップ表示に表示される文字の大きさが小さくなり、ディスプレイと医療従事者との距離が離れている場合には、医療従事者がポップアップ表示の内容を視認することが困難になってしまうという問題があった。
【先行技術文献】
【特許文献】
【０００９】
【特許文献１】特開２００７−３００３３３号公報
【発明の概要】
【発明が解決しようとする課題】
【００１０】
本発明は、このような問題を解決するために成されたものであり、ナースコール子機により呼び出しが行われて、呼び出しを行った患者の患者情報をディスプレイ上にポップアップ表示する際に、医療従事者に対して適切な情報を見易く表示できるようにすることを目的とする。
【課題を解決するための手段】
【００１１】
上述した課題を解決するために、本発明では、呼び出しを行った患者の患者情報をナースコール親機のディスプレイ上に所定の数だけポップアップ表示することが可能なナースコールシステムにおいて、呼び出しが報知されている状態では、呼び出しを行っている患者を特定するための患者情報を示す文字を大きくポップアップ表示し、ハンドセットをオフフックした状態では、呼び出しを行っている患者を特定するための患者情報およびその他の患者情報を示す文字を小さくポップアップ表示するようにしている。
【発明の効果】
【００１２】
上記のように構成した本発明によれば、呼び出しが報知されている状態では、医療従事者がナースコール親機の近傍に居るとは限らないため、呼び出しを行っている患者を特定するための患者情報が大きくポップアップ表示されるので、呼び出しに対する応答の際に必要な患者情報を医療従事者にとって見易く表示することができる。また、ハンドセットがオフフックされた状態では、医療従事者がナースコール親機の近傍に居るため、呼び出しを行っている患者を特定するための患者情報が小さくポップアップ表示されても医療従事者は見難く感じることは無い。また、ハンドセットがオフフックされた状態では、呼び出しを行っている患者を特定するための患者情報以外の患者情報もポップアップ表示されるので、医療従事者が看護などの際に必要とする情報を応答の際に確認することができる。従って、ナースコール子機により呼び出しが行われて、呼び出しを行った患者の患者情報をディスプレイ上にポップアップ表示する際に、医療従事者に対して適切な情報を見易く表示することができる。
【図面の簡単な説明】
【００１３】
【図１】本実施形態によるナースコールシステムの構成例を示すブロック図である。
【図２】本実施形態のナースコールシステムによるナースコール親機の表示画面の例を示す図である。
【発明を実施するための形態】
【００１４】
以下、本発明の一実施形態を図面に基づいて説明する。なお、ここでは病院に設置される看護支援用のナースコールシステムを例にとって説明するが、本実施形態のナースコールシステムは、病院に設置されるものに限定されない。例えば、介護施設等に設置される場合にも適用可能である。図１は、本実施形態によるナースコールシステムの構成例を示すブロック図である。図１において、１はナースコール子機であり、患者のベッドの近傍に設置され、患者などにより医療従事者を呼び出す際に使用される。ここで、ナースコール子機１は、各患者に対して設置されている。また、ナースコール子機１は、子機制御部２、呼出操作部３、子機インターフェース４を備えて構成されている。
【００１５】
１０はナースコール親機であり、医療従事者が常駐するナースステーションなどに設置され、医療従事者によって患者からの呼び出しに応答する際に使用される。ここで、ナースコール親機１０は、制御部１１、インターフェース１２、記憶部１３、ディスプレイ１４、スピーカー１５、ハンドセット１６、オフフック検出部１７を備えて構成されている。そして、ナースコール子機１とナースコール親機１０との間には、廊下灯や制御機（ともに図示せず）が接続されている。廊下灯は、病室内の患者の氏名を表示するとともに、病室内の患者が呼び出しを行った場合に呼び出しが行われたことを表示する。また、制御機は、ナースコール子機１とナースコール親機１０との通信の制御を行う。
【００１６】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、呼出ボタンなどにより構成されている。子機インターフェース４は、ナースコール子機１とナースコール親機１０とを接続して通信を行うためのものである。
【００１７】
患者は、医療従事者を呼び出したい場合に、呼出操作部３を操作する。すると、子機制御部２は、呼出信号を生成する。ここで、呼出信号には、このナースコール子機１を他のナースコール子機１と識別するための子機識別情報が含まれる。また、子機識別情報としては、ベッド番号などの情報を用いる。子機制御部２は、生成した呼出信号を子機インターフェース４によってナースコール親機１０へ出力する。
【００１８】
次に、ナースコール親機１０の各構成要素について説明する。制御部１１は、ナースコール親機１０の各構成要素を後述するように制御するためのものであり、ＣＰＵなどにより構成されている。インターフェース１２は、ナースコール親機１０とナースコール子機１とを接続して通信を行うためのものである。ここで、親機インターフェース１２は、ナースコール子機１から出力された呼出信号を入力する。
【００１９】
記憶部１３は、ナースコール子機１の子機識別情報（ベッド番号）と、この子機識別情報によって特定されるナースコール子機１を使用する患者を特定するための患者情報（例えば、患者の氏名とを関連付けて予め記憶している。また、記憶部１３は、その他の患者情報として救護区分や感染症の有無、診療科目、担当看護師などの患者情報を子機識別情報に関連付けて予め記憶している。また、記憶部１３は、後述するディスプレイ１４に表示される表示画面の画像データを記憶している。
【００２０】
ディスプレイ１４は、表示装置により構成されており、図２に示すように、各患者の居る病室およびベッドを一覧形式で表示するとともに、ナースコール子機１によって呼び出しが行われた場合に、ポップアップ表示を行う。ディスプレイ１４は、これらの表示を行う際に、記憶部１３に記憶されている画像データを用いる。スピーカー１５は、患者からの呼び出しを示す報知音を出力するためのものである。
【００２１】
ハンドセット１６は、ディスプレイ１４に患者からの呼び出しを示すポップアップ表示が行われ、スピーカー１５が患者からの呼び出しを示す報知音を出力している状態で使用され、ナースコール子機１との間で通話を行うためのものである。オフフック検出部１７は、ナースコール親機１０の筐体に装着されているハンドセット１６がオフフックされたことを検出して検出信号を出力するものである。ディスプレイ１４に患者からの呼び出しを示すポップアップ表示が行われ、スピーカー１５が患者からの呼び出しを示す報知音を出力している状態でハンドセット１６がオフフックされると、オフフック検出部１７は検出信号を出力する。すると、制御部１１は、ディスプレイ１４に表示されているポップアップ表示を後述するように切り替え、スピーカー１５から出力されている報知音を停止させる。
【００２２】
このように構成されたナースコールシステムにおいて、患者がナースコール子機１の呼出操作部３を操作すると、制御部２が呼出信号を生成し、子機インターフェース４が呼出信号をナースコール親機１０へ出力する。一方、ナースコール親機１０では、インターフェース１２が呼出信号を入力し、制御部１１は記憶部１３を参照して、呼出信号に含まれる子機識別情報に関連付けて記憶されている患者情報を取得する。そして、制御部１１は、呼出信号から抽出した子機識別情報（ベッド番号）と取得した患者情報と記憶部に記憶されている画像データとを用いてポップアップ表示用の画像を生成し、ディスプレイ１４に表示させる。また、制御部１１はスピーカー１５を動作させ、スピーカー１５は報知音を出力する。
【００２３】
ここで、あるナースコール子機１から呼び出しが行われている状態で、他のナースコール子機１から呼び出しが行われると、ディスプレイ１４上に複数のポップアップ表示が行われる。その場合、先に呼び出しが行われたナースコール子機１のポップアップ表示がディスプレイ１４上の表示画面の上方に表示され、次に呼び出しが行われたナースコール子機１のポップアップ表示がその下に表示される。
【００２４】
また、制御部１１は、ポップアップ表示用の画像を生成する際に、患者を特定することができる患者情報として患者の氏名を示す患者情報を用いている。また、制御部１１は、子機識別情報であるベッド番号および患者氏名を示す患者情報を大きな文字にてポップアップ表示内に表示させる（図２（ａ）参照）。なお、本実施形態では、患者を特定するための情報としてベッド番号も用いているが、これは必須ではない。
【００２５】
そして、ディスプレイ１４が図２（ａ）に示すポップアップ表示を行い、スピーカー１５が報知音を出力している状態で、ポップアップ表示や報知音に気付いた医療従事者がハンドセット１６をオフフックすると、オフフック検出部１７は検出信号を出力する。すると、制御部１１は、呼出信号から抽出した子機識別情報（ベッド番号）と取得した患者情報と記憶部に記憶されている画像データとを用いてポップアップ表示用の画像を更新してディスプレイ１４に表示させる。また、制御部１１はスピーカー１５の動作を停止させ、スピーカー１５は報知音の出力を停止する。
【００２６】
また、制御部１１は、ナースコール親機１０と、ディスプレイ１４上の表示画面の最上部に表示されているポップアップ表示により特定されるナースコール子機１との間で通話路を形成する。すると、医療従事者は、図２（ａ）の最上部のポップアップ表示のベッド番号８０２−３の患者「山田太郎」と会話を行うことができる。
【００２７】
ここで、制御部１１は、ポップアップ表示用の画像を生成する際に、患者を特定することができる患者情報として患者の氏名を示す患者情報を用いている。また、制御部１１は、同図に示すように、ポップアップ表示用の画像を生成する際に、その他の患者情報として救護区分や感染症の有無、診療科目、担当看護師などの患者情報を用いている。救護区分は、緊急の際に患者の状態に応じた患者の移送方法を示すものであり、一般に、担送（担架などにより移送可能）、護送（付添いが介助することで移動可能）、独歩（一人で移動可能）というように分けられている。
【００２８】
また、制御部１１は、子機識別情報であるベッド番号および患者氏名を示す患者情報を図２（ａ）に示すポップアップ表示よりも小さく表示させる（図２（ｂ）参照）。なお、本実施形態では、患者を特定するための情報としてベッド番号も用いているが、これは必須ではない。また、図２（ａ）に示すポップアップ表示と図２（ｂ）に示すポップアップ表示との大きさは同一である。すなわち、図２（ａ）に示す表示画面では、ポップアップ表示が最大で５つ（特許請求の範囲の所定の数に該当する）表示可能であるのに対し、図２（ｂ）に示す表示画面でも、ポップアップ表示が最大で５つ表示可能である。
【００２９】
このような状態で、医療従事者が患者との会話を終えて、ハンドセット１６をオンフックすると、図示しないオンフック検出部がオンフックを検出し、制御部１１は、ナースコール子機１との間の通話路を切断する。また、制御部１１は、図２（ｂ）の最上部のポップアップ表示（ベッド番号８０２−３、山田太郎さま）を消去し、その下のポップアップ表示を繰り上げて、図２（ａ）に示す状態でディスプレイ１４に更新表示させる。すなわち、ベッド番号および患者の氏名を大きな文字で表示するとともに、その他の患者情報を表示しないようにする。従って、ハンドセット１６のオフフックとオンフックとを繰り返すことで、次々にポップアップ表示が消去されることになる。
【００３０】
以上詳しく説明したように、本実施形態によれば、呼び出しを行った患者の患者情報をナースコール親機のディスプレイ上に所定の数である５つだけポップアップ表示することが可能なナースコールシステムにおいて、ナースコール子機１から呼出信号を入力してスピーカー１５から報知音が出力されている状態では、制御部１１は、呼び出しを行っている患者を特定するための患者の氏名を示す患者情報を示す文字を大きくディスプレイ１４にポップアップ表示させる。一方、このポップアップ表示が行われ、スピーカー１５から報知音が出力されている状態で、ハンドセット１６のオフフックがオフフック検出部１７により検出された場合には、呼び出しを行っている患者を特定するための患者の氏名を示す患者情報およびその他の患者情報を示す文字を上述したポップアップ表示よりも小さくディスプレイ１４にポップアップ表示させるようにしている。
【００３１】
これにより、スピーカー１５から報知音が出力されている状態では、医療従事者がナースコール親機１０の近傍に居るとは限らないため、呼び出しを行っている患者を特定するための患者情報が大きくディスプレイ１４上にポップアップ表示されるので、呼び出しに対するハンドセット１６による応答の際に必要な患者情報を医療従事者にとって見易く表示することができる。また、ハンドセット１６がオフフックされた状態では、医療従事者がナースコール親機１０の近傍に居るため、呼び出しを行っている患者を特定するための患者情報が小さくポップアップ表示されても医療従事者は見難く感じることは無い。また、ハンドセット１６がオフフックされた状態では、呼び出しを行っている患者を特定するための患者情報以外の患者情報もポップアップ表示されるので、医療従事者が看護などの際に必要とする情報を応答の際に確認することができる。従って、ナースコール子機１により呼び出しが行われて、呼び出しを行った患者の患者情報をディスプレイ１４上にポップアップ表示する際に、医療従事者に対して適切な情報を見易く表示することができる。
【００３２】
なお、前述した実施形態では、ディスプレイ１４に表示可能なポップアップ表示の所定の数は５つであるが、これに限定されない。例えば、ディスプレイ１４に表示可能なポップアップ表示の所定の数を４つ以下にしても良いし、６つ以上にしても良い。
【００３３】
また、前述した実施形態では、その他の患者情報として、救護区分や感染症の有無、診療科、担当看護師が用いられているが、これに限定されない。例えば、これ以外の患者情報や、看護情報、呼出種別を示す情報などを用いるようにしても良い。すなわち、医療従事者が患者からの呼び出しに応答する際に必要な情報であれば、どのような情報であっても良い。
【００３４】
また、前述した実施形態では、図２に示すように、ポップアップ表示がディスプレイ１４の表示画面の右側に表示されているが、これに限定されない。例えば、ディスプレイ１４の表示画面の左側にポップアップ表示を行うようにしても良い。
【００３５】
また、前述した実施形態では、ナースコール子機１からの呼び出しが、所定の数である５つを超えた場合が想定されていないが、これに限定されない。例えば、所定の数を超えた呼び出しがあった場合に、ポップアップ表示し切れていない呼び出しが存在することを表示画面の何処かに表示するようにしても良い。
【００３６】
また、前述した実施形態では、ナースコール子機１は、呼出操作部３を備えているが、これに限定されない。例えば、患者の所定の状態を検出するセンサーをナースコール子機１に設け、センサーが患者の所定の状態を検出した場合に、子機制御部２が呼出信号を生成するようにしても良い。
【００３７】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３８】
１    ナースコール子機
２    子機制御部
３    呼出操作部
４    子機インターフェース
１０    ナースコール親機
１１    制御部
１２    インターフェース
１３    記憶部
１４    ディスプレイ
１５    スピーカー
１６    ハンドセット
１７    オフフック検出部
【図１】
0005822342.tif 000002
【図２】
0005822342.tif 000003